(57)【要約】【課題】棚等に設置する電解水噴霧器は存在する。本発明は、ハンドバッグ等に収容して持ち歩く携帯用として好適な外観が筒状をなす形態とし、片手で持った状態で噴霧機構部の手動プッシュによって、電解水を任意に噴霧できる機能構成とする。この場合、除菌に使用しないときは電解水の生成は不要であり、そのときは電池から電解部への電力供給を行わず、携帯用電解水噴霧器を除菌目的に使用する際に電解水の生成を開始するためにスイッチを設ける。この場合、スイッチ操作を容易に行える構成を採用することにより、操作が簡単な新規な携帯用電解水噴霧器を提供するものである。【解決手段】内部に電解水生成用電解部が配置された水タンク部を備えた筒状本体部の上部に前記電解水を噴霧する噴霧機構部を配置し、携帯用電解水噴霧器の一部に、使用者の手が触れることによって生じる静電容量の変化を検出して前記電解部への通電を開始する静電容量型スイッチの検出部を設けたこと。【選択図】図１
2011110538.tif 000002
【特許請求の範囲】
【請求項１】
内部に電解水生成用電解部が配置された水タンク部を備えた筒状本体部の上部に前記電解水を噴霧する噴霧機構部を配置し、携帯用電解水噴霧器の一部に、使用者の手が触れることによって生じる静電容量の変化を検出して前記電解部への通電を開始する静電容量型スイッチの検出部を設けたことを特徴とする携帯用電解水噴霧器。
【請求項２】
筒状本体部に水タンク部を配置し、前記水タンク部の軸方向の一方側に噴霧機構部を他方側に電源部を配置し、前記水タンク部内の中央部には下部から流入した前記水タンク部の水を電気分解して電解水を生成する電解水生成用電極を備えた電解部が配置され、前記噴霧機構部の手動操作にて前記水タンク部内の水を押圧しつつ前記電解部の電解水を先端のノズルから噴霧する前記噴霧機構部が前記水タンク部の開口に水密状態に着脱自在結合され、前記電源部は電池と前記電極へ供給するための前記電池の電圧を昇圧する昇圧回路を有し、前記噴霧機構部の一部に、使用者の手が触れることによって生じる静電容量の変化を検出して前記電極への通電を開始する静電容量型スイッチの検出部を設け、前記静電容量型スイッチの検出動作によって前記昇圧回路によって昇圧した電圧が前記電極へ印加されることを特徴とする携帯用電解水噴霧器。
【請求項３】
筒状本体部に水タンク部を配置し、前記水タンク部の軸方向の一方側に噴霧機構部を他方側に電源部を配置し、前記水タンク部内の中央部には下部から流入した前記水タンク部の水を電気分解して電解水を生成する電解水生成用電極を備えた電解部が配置され、前記噴霧機構部の手動操作にて前記水タンク部内の水を押圧しつつ前記電解部の電解水を先端のノズルから噴霧する前記噴霧機構部が前記水タンク部の開口に水密状態に着脱自在結合され、前記電源部は電池と前記電極へ供給するための前記電池の電圧を昇圧する昇圧回路と前記電極への通電時間を制限するタイマ回路を有し、前記噴霧機構部の一部に、使用者の手が触れることによって生じる静電容量の変化を検出して前記電極への通電を開始する静電容量型スイッチの検出部を設け、前記静電容量型スイッチの検出動作によって前記タイマ回路が始動すると共に前記昇圧回路にて昇圧した電圧が前記電極へ印加されることを特徴とする携帯用電解水噴霧器。
【請求項４】
前記検出部を前記噴霧機構部のプッシュ部に設けたことを特徴とする請求項１乃至請求項３のいずれかに記載の携帯用電解水噴霧器。
【請求項５】
前記検出部を前記携帯用電解水噴霧器の本体部に設けたことを特徴とする請求項１乃至請求項３のいずれかに記載の携帯用電解水噴霧器。
【請求項６】
前記検出部を前記携帯用電解水噴霧器の本体部と前記噴霧機構部のプッシュ部とのＡＮＤ作用による構成としたことを特徴とする請求項１乃至請求項３のいずれかに記載の携帯用電解水噴霧器。
【発明の詳細な説明】
【技術分野】
【０００１】
本発明は、被電解水を電気分解して生成した電解水をスプレー部から噴霧する電解水噴霧器に関し、特に、ハンドバッグ等に収容して持ち歩き、任意の部位に電解水を噴霧してその部位を除菌することに適する携帯用電解水噴霧器に関する。
【背景技術】
【０００２】
インフルエンザ等の流行により、病院や人が出入りする公共施設、または家庭の棚等に設置して手指等を除菌または殺菌する器具があり、その一つとして、被電解水を電気分解して生成した電解水をスプレー部から噴霧する電解水噴霧器の技術が存在する。その電解水噴霧器の一つに、被電解水として容器に収容した塩素化合物の溶液を電気分解し、次亜塩素酸またはその塩の溶液である電解水を生成して、これをスプレー部から噴霧する次亜塩素酸生成噴霧器がある（特許文献１参照）。
【０００３】
これは多量の塩素化合物の溶液を容器に収容し、この容器の上端にトリガスプレーヤーを着脱自在に取り付け、この取り付けによってトリガスプレーヤーから延びたディップチューブが容器内の塩素化合物の溶液に浸り、指でピストルの引き金を引くようにトリガを操作することにより、１回のトリガ操作によって、０．１ｍｌ〜１ｍｌの塩素化合物の溶液が容器内から汲み上げられてノズルから噴霧されるものである。
【０００４】
また、電解水噴霧器の他の形態として、略円筒状の容器本体２Ａの上面と下面に２段円筒状のキャップ２Ｂと円板状のキャップ２Ｃが取り付けられて容器２を構成し、この容器２の上部に、噴霧機構である手動スプレーポンプ３が取り付けられたものがある。これは、容器本体２Ａの上面に形成した隔壁６の上側に、キャップ２Ｂ内に電解溶液を貯留するタンク４が形成され、この隔壁６の下側で容器２内に電解槽５が形成され、手動スプレーポンプ３から下方へ延びたノズル３ａが容器２の中心に配置され、手動スプレーポンプ３を押し圧操作するごとに、電解槽５の電解水が所定量、ノズル３ａに吸引されて噴霧口３ｂから噴霧される構成の電解水生成噴霧器である（特許文献２参照）。
【０００５】
特許文献２のものは、容器２の容器本体２Ａ内は、上部に電解槽５が形成され、電解槽５の下方に２本のバッテリとバッテリの電流を制御する基板が背中合わせに配置され、バッテリと基板の下方を下部のキャップ２Ｃが覆う構成である。
【０００６】
即ち、特許文献２のものは、被電解水を入れるタンク４と電解槽５が上下関係の配置となるように、タンク４がキャップ２Ｂ内に形成され、電解槽５が容器本体２Ａに形成された状態で、容器本体２Ａの上端にキャップ２Ｂがネジ結合される構成である。そして、手動スプレーポンプ３から下方へ延びたノズル３ａが容器２の中心に配置されるために、電解槽５が容器本体２Ａの上部の一方に偏った位置に配置されている。
【先行技術文献】
【特許文献】
【０００７】
【特許文献１】特開２００４−１３０２６３号公報
【特許文献２】特開２００９−１５４０３０号公報
【特許文献３】特開２００８−０４１５３６号公報
【発明の概要】
【発明が解決しようとする課題】
【０００８】
この特許文献１のものは、図示された全体形態からして、病院や人が出入りする公共施設や病院、または家庭等の棚等に設置して使用するものであり、携帯用として開発されたものではないことが、一見して判明する。
【０００９】
また特許文献２のものは、上記のように、被電解水を入れるタンク４がキャップ２Ｂ内に形成され、電解水を生成する電解槽５が容器本体２Ａに形成されているため、タンク４と電解槽５が上下に分離し、それが結合される関係である。このため、タンク４に被電解水を入れる場合は、容器本体２Ａからキャップ２Ｂを取り外し、タンク４に被電解水を入れた状態で、容器本体２Ａを逆さま状態でもって、容器本体２Ａとキャップ２Ｂとをネジ結合することとなり、被電解水の補充操作を行い難いこと、また、容器本体２Ａの電解槽５に電解水が残っておれば、この電解水が零れ落ちることが懸念される。
【００１０】
特許文献２のものは、手動スプレーポンプ３から下方へ延びたノズル３ａが容器２の中心に配置されるために、電解槽５が容器本体２Ａの上部の一方に偏った位置に配置されること、更に、電解槽５の下方に２本のバッテリとバッテリの電流を制御する基板が背中合わせに配置されるものであり、これらの構成によって容器２の直径が大きくなる。これらの点は、携帯用を創造するときの支障となるものである。
【００１１】
上記の点及び全体形態からして、特許文献２のものは、病院や人が出入りする公共施設や病院、または家庭等の棚等に設置して使用するものであり、携帯用として開発されたものではないことが、一見して判明する。
【００１２】
機器のタッチパネルなどに使用される静電容量型スイッチは、例えば特許文献３に開示されている。これは、ガラスや樹脂パネルに電極を貼付し、ユーザが指で触れたときの静電容量変化を検出するものである。
【００１３】
最近、インフルエンザ等の流行により、手指や出先での便座等を手軽に除菌することが望まれる。このような点に着目して、本発明は、ハンドバッグ等に収容して持ち歩き、手指や出先での便座等の任意の部位を手軽に除菌することに適する携帯用電解水噴霧器を提供するものである。
【００１４】
本発明は、ハンドバッグ等に収容して持ち歩く携帯用として好適な外観が筒状をなす形態とし、片手で持った状態で噴霧機構部の手動プッシュによって、電解水を任意に噴霧できる機能構成とする。この場合、除菌に使用しないときは電解水の生成は不要であり、そのときは電池から電解部への電力供給を行わず、携帯用電解水噴霧器を除菌目的に使用する際に、電解水の生成を開始するためにスイッチを設ける。この場合、静電容量型スイッチの利点を活用し、携帯用電解水噴霧器をハンドバッグ等から取り出す等、携帯用電解水噴霧器の使用開始に合わせてスイッチＯＮとすることができる構成とすることにより、電解水の噴霧を行なうための操作が簡単な新規な携帯用電解水噴霧器を提供するものである。
【課題を解決するための手段】
【００１５】
第１発明の携帯用電解水噴霧器は、内部に電解水生成用電解部が配置された水タンク部を備えた筒状本体部の上部に前記電解水を噴霧する噴霧機構部を配置し、携帯用電解水噴霧器の一部に、使用者の手が触れることによって生じる静電容量の変化を検出して前記電解部への通電を開始する静電容量型スイッチの検出部を設けたことを特徴とする。
【００１６】
第２発明の携帯用電解水噴霧器は、筒状本体部に水タンク部を配置し、前記水タンク部の軸方向の一方側に噴霧機構部を他方側に電源部を配置し、前記水タンク部内の中央部には下部から流入した前記水タンク部の水を電気分解して電解水を生成する電解水生成用電極を備えた電解部が配置され、前記噴霧機構部の手動操作にて前記水タンク部内の水を押圧しつつ前記電解部の電解水を先端のノズルから噴霧する前記噴霧機構部が前記水タンク部の開口に水密状態に着脱自在結合され、前記電源部は電池と前記電極へ供給するための前記電池の電圧を昇圧する昇圧回路を有し、前記噴霧機構部の一部に、使用者の手が触れることによって生じる静電容量の変化を検出して前記電極への通電を開始する静電容量型スイッチの検出部を設け、前記静電容量型スイッチの検出動作によって前記昇圧回路によって昇圧した電圧が前記電極へ印加されることを特徴とする。
【００１７】
第３発明の携帯用電解水噴霧器は、筒状本体部に水タンク部を配置し、前記水タンク部の軸方向の一方側に噴霧機構部を他方側に電源部を配置し、前記水タンク部内の中央部には下部から流入した前記水タンク部の水を電気分解して電解水を生成する電解水生成用電極を備えた電解部が配置され、前記噴霧機構部の手動操作にて前記水タンク部内の水を押圧しつつ前記電解部の電解水を先端のノズルから噴霧する前記噴霧機構部が前記水タンク部の開口に水密状態に着脱自在結合され、前記電源部は電池と前記電極へ供給するための前記電池の電圧を昇圧する昇圧回路と前記電極への通電時間を制限するタイマ回路を有し、前記噴霧機構部の一部に、使用者の手が触れることによって生じる静電容量の変化を検出して前記電極への通電を開始する静電容量型スイッチの検出部を設け、前記静電容量型スイッチの検出動作によって前記タイマ回路が始動すると共に前記昇圧回路にて昇圧した電圧が前記電極へ印加されることを特徴とする。
【００１８】
第４発明の携帯用電解水噴霧器は、第１発明乃至第３発明のいずれかにおいて、前記検出部を前記噴霧機構部のプッシュ部に設けたことを特徴とする。
【００１９】
第５発明の携帯用電解水噴霧器は、第１発明乃至第３発明のいずれかにおいて、前記検出部を前記携帯用電解水噴霧器の本体部に設けたことを特徴とする。
【００２０】
第６発明の携帯用電解水噴霧器は、第１発明乃至第３発明のいずれかにおいて、前記検出部を前記携帯用電解水噴霧器の本体部と前記噴霧機構部のプッシュ部とのＡＮＤ作用による構成としたことを特徴とする。
【発明の効果】
【００２１】
本発明は、インフルエンザ等の流行により、手指や出先での便座等を手軽に除菌することへの適用のために、ハンドバッグ等に収容して持ち歩き、手指や出先での便座等の任意の部位を手軽に除菌することに適する携帯用電解水噴霧器を提供できるものとなる。
【００２２】
本発明は、ハンドバッグ等に収容して持ち歩く携帯用として好適な外観が筒状をなす形態とし、片手で持った状態でスイッチが作動するため、電解水の生成が開始し、直ちに噴霧機構部の手動プッシュによって、電解水を任意に噴霧できるものとなる。除菌に使用しないときは携帯用電解水噴霧器に触れないため、電池から電解部への電力供給を行わず、携帯用電解水噴霧器を除菌目的に使用する際に電解水の生成を開始するため、電池の寿命を長く保てるものとなる。
【００２３】
検出部を携帯用電解水噴霧器の本体部に設けた場合は、除菌目的に使用するために携帯用電解水噴霧器の本体部握ると共に電解水の生成を開始し、また、噴霧機構部のプッシュ部に設けた場合は、除菌開始時に電解水の生成を開始するため、携帯用電解水噴霧器の使用開始に合わせたスイッチＯＮとすることができる効果がある。
【００２４】
また、検出部を携帯用電解水噴霧器の本体部と噴霧機構部のプッシュ部とのＡＮＤ作用による構成とした場合は、携帯用電解水噴霧器をハンドバッグ等に収容している際に、除菌目的以外のときに携帯用電解水噴霧器に触れたときには電解水の生成を開始する虞が極めて少なくなり、不用意にスイッチＯＮとならない点で効果がある。
【００２５】
静電容量型スイッチの検出動作によって、昇圧回路にて昇圧した電圧が電極へ印加されるため、電池は１．２Ｖ〜１．５Ｖの単３または単4電池が使用でき、小型化となる。また、静電容量型スイッチの検出動作によって、所定時間のみ電極に通電することによって、除菌の必要時のみ電解水を生成するため、電池の寿命を長く保つことができる。
【図面の簡単な説明】
【００２６】
【図１】本発明に係る携帯用電解水噴霧器の内部構成を示す説明図である。
【図２】本発明に係る携帯用電解水噴霧器の電解部と電源部の関係を示す説明図である。
【図３】本発明に係る携帯用電解水噴霧器の内部構成を断面で示す説明図である。
【図４】図３のプッシュ部をプッシュした状態の電解水の流出部の拡大図である。
【図５】図３の連通路部材を貫通した空気の連通路の拡大図である。
【図６】本発明に係る携帯用電解水噴霧器の電解部の３枚電極構成を示す横断面図である。
【図７】本発明に係る携帯用電解水噴霧器の静電容量型スイッチの第１実施形態の検出部を示す説明図である。
【図８】本発明に係る携帯用電解水噴霧器の静電容量型スイッチの構成のブロック図である。
【図９】本発明に係る携帯用電解水噴霧器の静電容量型スイッチの第２実施形態の検出部を示す説明図である。
【図１０】本発明に係る携帯用電解水噴霧器の噴霧状態を示す説明図である。
【図１１】本発明に係る携帯用電解水噴霧器の制御回路部の構成図である。
【発明を実施するための形態】
【００２７】
本発明の携帯用電解水噴霧器は、内部に電解水生成用電解部が配置された水タンク部を備えた筒状本体部の上部に前記電解水を噴霧する噴霧機構部を配置し、携帯用電解水噴霧器の一部に、使用者の手が触れることによって生じる静電容量の変化を検出して前記電解部への通電を開始する静電容量型スイッチの検出部を設けたものであり、以下に、その実施例を記載する。
【００２８】
なお、本発明における「除菌」とは、除菌前の菌数に比べて除菌後の菌数が、１００分の１以下になることを意味する。
【実施例１】
【００２９】
以下、本発明に係る携帯用電解水噴霧器１は、図に示すように、外観が円筒形、楕円形、多角形等の筒状をなし、中間部に上面開口２Ａの合成樹脂製の筒状水タンク部２を配置し、下部に電源部３を配置し、上部に合成樹脂製のプッシュ式噴霧機構部４を配置した構成である。図のものは、略同じ直径で構成された水タンク部２と電源部３によって合成樹脂製の筒状本体部１Ａとして、合成樹脂製の円筒形本体部１Ａを形成し、この上にプッシュ式噴霧機構部４を配置した携帯用電解水噴霧器１を示している。
【００３０】
水タンク部２内の中央部には、水タンク部２の水が下部の流入口５Ｅから流入し上面開口５Ａから噴霧機構部４へ流出する筒状電解部５が水タンク部２の軸方向に配置され、筒状電解部５の周囲が水タンク部２の水溜め部となっており、水タンク部２の水が下部の流入口５Ｅから電解部５へ流入する。このため、携帯用電解水噴霧器１がプッシュ式噴霧機構部４を上にした垂直状態において、電解部５と水タンク部２の水位が同レベルとなる構成である。
【００３１】
図２及び図６に示すように、電解部５は、その内部の水に浸るように、オゾンを発生させ電解水を生成するための電解水生成用電極６が収容されており、オゾンを発生することにより除菌用電解水としてのオゾン水を生成するものである。電解部５は、プラス電極６Ａとマイナス電極６Ｂが、携帯用電解水噴霧器１の軸方向、即ち、水タンク部２の中央部に、水タンク部２の軸方向に収容された筒状電解部５を形成している。電極６は、水タンク部２の軸方向に並行に延びた２枚乃至５枚のプラス電極６Ａとマイナス電極６Ｂで構成され、１枚のプラス電極６Ａと１枚のマイナス電極６Ｂの一対で構成することもできるが、除菌用電解水を効果的に生成するためには、電極６の好ましい形態として、プラス電極６Ａとマイナス電極６Ｂが交互配置となるように、少なくとも３枚の板状電極が、所定間隔を存してその板状面が対向配置される。
【００３２】
筒状電解部５の構成として、筒状体５Ｐ内にプラス電極６Ａとマイナス電極６Ｂが所定間隔で収容された構成であり、プラス電極６Ａとマイナス電極６Ｂとの間が水の流通路となる電解室５Ｓである。プラス電極６Ａとマイナス電極６Ｂ間の電解室５Ｓ以外の部分に水が存在すると、この部分ではオゾンを含んでいない水が発生し、これがプッシュ式噴霧機構部４から噴霧されると、除菌効果が損なわれる。これを防止するために、電解部５は、プラス電極６Ａとマイナス電極６Ｂ間以外の部分を水が流れない筒状構成である。
【００３３】
電解部５の一つの実施構成として、図６に横断面で示すように、プラス電極６Ａとマイナス電極６Ｂが交互配置となるよう３枚の板状電極が絶縁材のスペーサ５Ｂを介して上下方向に略均一な所定間隔（０．１ｍｍ〜１ｍｍ）を存して対向配置され、中間の板状電極をプラス電極６Ａとし、その両側の板状電極をマイナス電極６Ｂとし、電気分解に作用しない非対向面は、絶縁材で覆うように、この３枚の電極の外周を合成樹脂製の熱収縮チューブで構成した筒状体５Ｐで覆われている。プラス電極６Ａとマイナス電極６Ｂが交互配置となるよう３枚の板状電極が絶縁性のスペーサ５Ｂを介して所定間隔に配置された状態のものを熱収縮チューブに挿入し、加熱により熱収縮チューブを収縮させることによって、熱収縮チューブが３枚の電極の周囲に密着することにより、筒状体５Ｐが形成されることとなる。これによって、プラス電極６Ａとマイナス電極６Ｂとの間で、水の流通路となる電解室５Ｓが形成され、電解室５Ｓに存在する水を電気分解してオゾンを発生させ、オゾン水としての電解水を効果的に生成することができる。そして、後述のようにプッシュ式噴霧機構部４の作動によって噴霧されるとき、実質的に電解室５Ｓ以外の部分を水が流れない筒状構成となる。
【００３４】
電解部５の軸方向に沿ったプラス電極６Ａとその両側のマイナス電極６Ｂの軸方向長さが、略電解部５の軸方向長さに亘る長さである。また、プラス電極６Ａとマイナス電極６Ｂのそれぞれの対向面の電気分解に作用する有効面積が略同じである。
【００３５】
筒状体５Ｐは絶縁材が好ましく、上記のように合成樹脂製の熱収縮チューブで構成してもよく、または、円筒形状または非円筒形状に成形した合成樹脂の成形品で構成してもよい。いずれにしても、プラス電極６Ａとマイナス電極６Ｂとの間で、水の流通路となる電解室５Ｓが形成され、実質的にプラス電極６Ａとマイナス電極６Ｂ間以外の部分を水が流れない筒状構成とすればよい。
【００３６】
後述のように、電極６に所定電圧（実施例では、５．５Ｖ〜５．６Ｖ）を印加することによって、プラス電極６Ａとマイナス電極６Ｂとの間の電解室５Ｓに存在する水を電気分解してオゾンを発生させ、オゾン水としての電解水を効果的に生成することができる。
【００３７】
上記のように、板状のプラス電極６Ａとその両側の板状のマイナス電極６Ｂ間が、電解水の生成領域を形成すると共に、噴霧機構部４の作動によって水タンク部２の水が噴霧機構部４へ流れる水の流通路を形成するため、水タンク部２の水を噴霧機構部４へ流す流路形成がし易くなり、水タンク部２の中心部に電解部５を配置するコンパクト構成が達成できる。
【００３８】
また、上記のように、電解部５の軸方向に沿ったプラス電極６Ａとその両側のマイナス電極６Ｂの軸方向長さが、略電解部５の軸方向長さに亘る長さであることによって、電解部５全体を電解領域とすることができるため、携帯用電解水噴霧器１の全体長さを短くすることができる。
【００３９】
また、上記のように、電極６は、板状プラス電極６Ａと板状マイナス電極６Ｂの対向面が電解水生成作用面であり、非対向面が絶縁材で被覆された構成であるため、対向面での電解水生成作用が効果的に行なわれるものとなる。
【００４０】
また、上記のように、プラス電極６Ａとマイナス電極６Ｂのそれぞれの対向面の電気分解に作用する有効面積が略同じであることにより、電極のコストを下げることができる。
【００４１】
携帯用電解水噴霧器１の組み立てのし易さを考慮して、電源部３は、環状パッキン２１を介して水タンク部２と相互にネジ結合部２２にて、使用者が取り外しできないように固定的に水密状態に結合されている。電源部３は、合成樹脂製の筺体２３内に、電源用電池２４、制御回路部２５、ＬＥＤ２６等が収容されている。後述のように、制御回路部２５は、スイッチ２７によって電源用電池２４を電源として作動して、電源用電池２４から制御回路部２５へ電力が供給され、制御回路部２５から電極６へ電力が供給されるように電気的に接続され、電極６を構成するプラス電極６Ａとマイナス電極６Ｂへ電力を供給する。電源部３は、筺体２３の外面が装飾のために装飾体２８によって覆われている。ＬＥＤ２６は、携帯用電解水噴霧器１の外方から発光が目視できると共に、水が侵入しない防水構造によって、筺体２３内に取り付けられている。
【００４２】
電源用電池２４は、単３または単４の再充電可能な１．２ボルト〜１．５ボルトの２次電池であり、筺体２３内の電池収容部２３Ａに取り付けられ、電源用電池２４は制御回路部２５の電源としてセットされる。電源用電池２４を電源部３から取り外し可能とする場合は、電源用電池２４を所定の充電器へセットすることにより充電可能である。また、電源用電池２４を筺体２３内に保持したままの状態で、所定の充電器へセットすることにより、電磁誘導にて充電する構成でもよい。
【００４３】
電解部２でオゾン水を生成するためには、所定電圧以上の電力がプラス電極６Ａとマイナス電極６Ｂへ印加されることが必要である。このため、電力電源用電池２４は、複数の電池を直列接続すれば高い電圧が得られるが、携帯用電解水噴霧器１が大型化するため、本発明では、単３または単４の再充電可能な１．２ボルト〜１．５ボルトの２次電池を１個使用し、この電源用電池２４の電圧を昇圧回路２５Ａによって昇圧して電極６に所定電圧（実施例では、５．５ボルト〜５．６ボルト）を印加する。制御回路部２５は、電解室５Ｓ内での除菌用オゾン水の生成に必要な電圧を電極６へ印加するために、電源用電池２４を電源として、電源用電池２４の電圧を所定の電圧（実施例では、５．５ボルト〜５．６ボルト）まで昇圧するための昇圧回路２５Ａを備えている。
【００４４】
水タンク部２は上部に上面開口２Ａを形成しており、これが水補給開口２Ａとなる。この水補給開口２Ａを開閉するように、水タンク部２の上部にプッシュ式噴霧機構部４が水密状態に着脱自在結合である。具体的には、水タンク部２の水補給開口２Ａ側へ噴霧機構部４を取り付けたとき、水補給開口２Ａが閉じた状態となる。また、噴霧機構部４を水タンク部２から取り外したとき、水補給開口２Ａが開放される状態となり、この水補給開口２Ａから水タンク部２への水の補給を行なうことができる。
【００４５】
図３に示すように、水タンク部２の水補給開口２Ａ周縁部、即ち上面開口２Ａ周縁部には、水タンク部２内の水を押圧しつつ電解部５の電解水が先端のノズル４Ａから噴霧するための噴霧機構部４が、水タンク部２に水密状態に着脱自在結合となっている。噴霧機構部４は、種々の形態があり、市販品を採用することもできるが、図示の噴霧機構部４では、合成樹脂製の円筒形のプッシュ部４Ｐが、環状パッキン１２によって水密状態を保ちつつ、合成樹脂製の円筒形の噴霧本体部４Ｂに上下動可能に組み合わされ、プッシュ部４Ｐの側面には、小孔のノズル４Ａが開口している。噴霧本体部４Ｂの下端開口部が水タンク部２の上面開口２Ａ周縁とネジ結合部１１によって着脱自在結合となっており、噴霧本体部４Ｂと水タンク部２とは、環状パッキン１０によって水密状態である。
【００４６】
噴霧本体部４Ｂには、水タンク部２内に延びた連通路部材１３が、一体的に設けられている。この連通路部材１３は、中心部に上下に貫通した電解水導出路７Ｂを形成している。噴霧機構部４の中心部には、ノズル４Ａへ通じるように、上下に貫通した電解水導出路７が形成されている。プッシュ部４Ｐはノズル４Ａへ通じる小径の電解水導出路７Ａを形成し、電解水導出路７Ａが下方へ延出する延出部４Ｐ１を形成している。この延出部４Ｐ１は、電解水導出路７Ｂの上方から、連通路部材１３内に形成した電解水導出路７Ｂへ侵入して、連通路部材１３に水密状態で上下動可能に組み合わされている。これによって、電解水導出路７Ａと電解水導出路７Ｂが連通状態となって電解水導出路７が形成され、電解部５からノズル４Ａへ通じる電解水導出路７となる。
【００４７】
電解水導出路７Ｂには、電解水漏洩防止機構を備えている。この電解水漏洩防止機構は、図３に示すように、プッシュ部４Ｐが押圧されないときは、コイルバネ４０によって上方へ付勢されるボール４１によって電解水導出路７Ｂを閉じている。そして、図３及び図４に示すように、プッシュ部４Ｐの押圧によって、延出部４Ｐ１がコイルバネ４０に抗してボール４１を下方へ押して電解水導出路７Ｂを開き、矢印のように電解部５の電解水が噴霧機構部４の電解水導出路７Ａへ押し込まれ、ノズル４Ａから電解水が噴出される構成である。この電解水漏洩防止機構によって、プッシュ部４Ｐが押圧されない状態において、携帯用電解水噴霧器１を上下逆さまにしたとき、電解部５の電解水が電解水導出路７を通ってノズル４Ａから漏洩しないようになる。
【００４８】
噴霧本体部４Ｂ内にはポンプ室１６が形成されている。図３の構成では、噴霧本体部４Ｂ内にプッシュ部４Ｐの空気押圧部４Ｐ２と、連通路部材１３の基部上面との間にポンプ室１６が形成されている。ポンプ室１６は、空気導入孔９によって外気と連通し、且つ、連通路部材１３の基部を貫通した空気の連通路１５及び水タンク部２の水補給開口２Ａによって、水タンク部２内と連通している。ポンプ室１６に設けたコイルバネ８によって、プッシュ部４Ｐは本体部４Ｂから上方へ突出状態に付勢され、この状態でポンプ室１６は空気導入孔９によって外気と連通した状態である。連通路部材１３の基部を貫通した空気の連通路１５は、１箇所でもよいが、図５に示すように、略１２０度ピッチで周囲３箇所に形成してもよい。なお、ポンプ室１６の形成のために、例えば、噴霧本体部４Ｂは、その上面が接着等にて一体化される別部材のトップ部材４Ｂ１で形成された構成となっている。
【００４９】
本発明では、筒状電解部５は、筒状水タンク部２の中央部に、筒状水タンク部２の軸方向となるように配置されて支持され、筒状水タンク部２の上面の水補給開口２Ａを開閉するように、噴霧機構部４が筒状水タンク部２と筒状電解部５に対して着脱される構成である。これに関し、具体的な構成を以下に説明する。
【００５０】
筒状電解部５は、上記のようにプラス電極６Ａとマイナス電極６Ｂが、携帯用電解水噴霧器１の軸方向、即ち、水タンク部２の中央部に、水タンク部２の軸方向となるように配置され支持されている。
筒状電解部５は、下部が水タンク部２の底部に設けた下部支持部１７Ａに支持され、上部が水タンク部２内に後述の上部支持部材１７Ｂによって支持されている。
【００５１】
上部支持部１７Ｂによって支持する構成について説明する。筒状電解部５は、水タンク部２の中央部に、水タンク部２の軸方向となるように配置され、筒状電解部５は、上記のようにプラス電極６Ａとマイナス電極６Ｂが、携帯用電解水噴霧器１の軸方向、即ち、水タンク部２の中央部に、水タンク部２の軸方向となるように配置され、筒状電解部５は、下部が水タンク部２の底部にて下部支持部１７Ａに支持され、上部が水タンク部２の上部にて合成樹脂製の上部支持部１７Ｂにて支持されている。
【００５２】
筒状電解部５の下部は、電源部３の後述の筺体２３の上面に一体的に矩形環状に形成された下部支持部１７Ａ内に支持されている。図示のものは下部支持部１７Ａが筺体２３と一体形成であるが、筺体２３とは別個に形成した下部支持部１７Ａを筺体２３の上面に取り付けた構成でもよい。流入口５Ｅは、下部支持部１７Ａを貫通して形成されており、水タンク部２内と電解部５内の水の連通は、流入口５Ｅのみである。
【００５３】
組み立てに関し、予め筒状電解部５に上部支持部１７Ｂを取り付けた状態で、水タンク部２の内面と上部支持部１７Ｂの円板状支持部１７Ｃとが圧接して、筒状電解部５の上部が支持される構成となっている。支持部１７Ｃには複数の貫通孔１７Ｐが形成され、この貫通孔１７Ｐは、水補給開口２Ａから水タンク部２へ注入される水が通過するためのものである。電源部３は環状パッキン２１を介して水タンク部２と相互にネジ結合部２２にて、使用者が取り外しできないように固定的に水密状態に結合されている。なお、噴霧機構部４と筒状電解部５の上部とは、上部支持部１７Ｂによって着脱自在に連結されるため、上部支持部１７Ｂは連結部と称することもできる。
【００５４】
上記のように、筒状電解部５が、水タンク部２内に下部支持部１７Ａと上部支持部１７Ｂにて支持された状態において、噴霧機構部４を水タンク部２から取り外し、水タンク部２の水補給開口２Ａから水タンク部２へ水を補給する。このとき水は、支持部１７Ｃの貫通孔１７Ｐを通過して流下し、水タンク部２の内側領域に溜まり、且つ下部の流入口５Ｅから筒状電解部５内にも溜まる。この溜まった水の量は、透明な水タンク部２から目視できる。この状態で、水タンク部２の水補給開口２Ａ側へ噴霧機構部４をネジ結合部１１によって取り付ける。この取り付けに伴って連通路部材１３の下端部が、筒状電解部５の上部に取り付けた上部支持部１７Ｂに水密状態で嵌合すると共に、噴霧本体部４Ｂと水タンク部２とは、環状パッキン１０によって水密状態となる。
【００５５】
このように噴霧機構部４を水タンク部２に水密状態に取り付けた図３の状態において、後述のようにタイマ回路２５Ｂを設けた場合は、スイッチ２７がＯＮすることによって、タイマ回路２５Ｂが作動し、電池２４の電力を昇圧回路２５Ａで昇圧した電圧が、所定時間（実施例では１０秒）だけ電極６へ供給される。この所定時間（実施例では１０秒）だけＬＥＤ２６が発光する。
【００５６】
この所定時間（実施例では１０秒）内に、コイルバネ８によって本体部４Ｂから上方へ突出状態に付勢されているプッシュ部４Ｐを押圧することによって、延出部４Ｐ１がコイルバネ４０に抗してボール４１を下方へ押して電解水導出路７Ｂを開くと共に、ポンプ室１６の空気はプッシュ部４Ｐの空気押圧部４Ｐ２が空気導入孔９を通り過ぎた位置から、連通路１５を通して水タンク部２内の水面ＨＬの上面空間ＡＳに加圧空気が作用し、この加圧空気によって、水タンク部２内の水が流入口５Ｅから電解部５内へ押し込まれる。これと共に、電解水導出路７Ａの下端部開口７Ａ１は、図４に示すように、電解水導出路７Ｂの拡大径部分によって開放されるため、電解水導出路７Ａ、７Ｂが連通し、電解部５の電解水は電解水導出路７を通って、ノズル４Ａから噴出する。この作用がプッシュ部４Ｐの１プッシュごとに行なわれるため、上記所定時間（実施例では１０秒）の間に、プッシュ部４Ｐを複数回プッシュすることによって、その都度電解水を噴霧することができる。この所定時間（実施例では１０秒）経過にてＬＥＤ２６は消灯（非発光）するが、再度操作部２７Ｐを押圧してスイッチ２７をＯＮすることによって、上記所定時間（実施例では１０秒）が開始するため、この時間内にプッシュ部４Ｐを複数回プッシュすることによって、その都度電解水を噴霧することができる。
【００５７】
そして、水タンク部２への水の補給に際しては、水タンク部２に対して、ネジ結合部１１の結合が外れる方向へ噴霧本体部４Ｂを回転させることにより、水タンク部２と噴霧本体部４Ｂとの結合が外れると共に、連通路部材１３の下端部が筒状電解部５の上部に取り付けた上部支持部１７Ｂから外れる。このため、水タンク部２の上面の水補給開口２Ａが開放され、上記同様に、水補給開口２Ａから水タンク部２への水の補給を行うことができる。
【００５８】
電源用電池２４は、単３または単４の再充電可能な１．２ボルト〜１．５ボルトの２次電池であり、筺体２３内の電池収容部２３Ａに取り付けられる。電源用電池２４を電源とした制御回路部２５へ電力が供給され、電極６へ電力が供給可能状態となる。電源用電池２４を取り外し可能とすれば、電源用電池２４を所定の充電器へセットすることにより充電可能である。なお、電源用電池２４を電池収容部２３Ａに取り付けた状態で、充電器へセットすることにより、電磁誘導作用によって充電可能とすることもできる。
【００５９】
電解部２でオゾン水を生成するためには、所定電圧以上の電力がプラス電極６Ａとマイナス電極６Ｂへ印加されることが必要である。このため、電力電源用電池２４は、複数の電池を直列接続すれば高い電圧が得られるが、携帯用電解水噴霧器１が大型化するため、本発明では、単３または単４の再充電可能な１．２ボルト〜１．５ボルトの２次電池を１個使用し、この電源用電池２４の電圧を昇圧回路２５Ａによって昇圧して電極６に所定電圧（実施例では、５．５ボルト〜５．６ボルト）を印加する。制御回路部２５は、このように、電解室５Ｓ内での除菌用オゾン水の生成に必要な電圧を電極６へ印加するために、図１１に示すように、電源用電池２４を電源として、電源用電池２４の電圧を所定の電圧（実施例では、５．５ボルト〜５．６ボルト）まで昇圧するための昇圧回路２５Ａを備える。
【００６０】
本発明では、ハンドバッグ等に収容して持ち歩く携帯用として好適な外観が筒状をなす形態とし、片手で持った状態で噴霧機構部４の手動プッシュによって、電解水を任意に噴霧できる機能構成とする。この場合、除菌に使用しないときは電解水の生成は不要であり、そのときは電池２４から電解部５への電力供給を行わず、携帯用電解水噴霧器１を除菌目的に使用する際に、電解水の生成を開始するためにスイッチ２７を設ける。この場合、スイッチ２７の操作を容易に行える構成を採用することにより、操作が簡単な新規な携帯用電解水噴霧器１を提供するものである。
【００６１】
このため、本発明では、内部に電解水生成用電解部５が配置された水タンク部２を備えた筒状本体部１Ａの上部に電解水を噴霧する噴霧機構部４を配置し、電解水の生成を開始するためのスイッチ２７として、静電容量型スイッチ２７を採用する。
【００６２】
静電容量型スイッチ２７は、図８のように、検出部（電極部に相当する）２７Ｋと検出回路２７Ｄを備え、検出回路２７Ｄは、発振回路２７Ｃとスイッチ回路２７Ｓを含んでいる。この場合、携帯用電解水噴霧器１の一部に、使用者の手が触れることによって生じる静電容量の変化を検出して、電解部５への通電を開始する静電容量型スイッチ２７の検出部（電極部に相当する）２７Ｋを設けている。
【００６３】
これに関し、具体的な一つの構成として、検出部２７Ｋを噴霧機構部４のプッシュ部４Ｐに設けたものを図７に示している。この図７において、検出部２７Ｋは、合成樹脂製のプッシュ部４Ｐの平坦な上面頂部４Ｐ１内に、上面頂部４Ｐ１に略平行状態に平板状の電極として配置されている。検出部２７Ｋは、プッシュ部４Ｐの側面部に設けた板状導電部ＳＴと電気的に接続され、板状導電部ＳＴと噴霧本体部４Ｂの側面部に設けた板状導電部ＦＴとが、プッシュ部４Ｐの押し下げ（プッシュ）の間も電気的接続を維持している。また、板状導電部ＦＴはリード線５８によって検出回路２７Ｄに接続されている。
【００６４】
図１０のように、使用者が手で携帯用電解水噴霧器１を握って使用する際に、プッシュ部４Ｐを押すために、上面頂部４Ｐ１に使用者が指を触れる（タッチする）ことによって、検出部２７Ｋは静電容量が変化（増加）し、それによって発振回路２７Ｃの発振周波数が基本周波数からずれて減少し、スイッチ回路２７Ｓが通電状態となる（接点の場合は閉じる）。スイッチ回路２７Ｓが通電状態となることによって、制御回路部２５の昇圧回路２５Ａが動作し、電源用電池２４の電圧を昇圧回路２５Ａによって昇圧して電極６に所定電圧（実施例では、５．５ボルト〜５．６ボルト）を印加する。このため、電解部５において電解水が生成される。
【００６５】
このようにプッシュ部４Ｐの上面頂部４Ｐ１に使用者が指を触れ（タッチし）、引き続いてプッシュ部４Ｐを押し下げる（プッシュする）ことによって、電解水は電解水導出路７を通って、ノズル４Ａから噴出する。
【００６６】
図９は、検出部２７Ｋを携帯用電解水噴霧器１の本体部１Ａに設けた構成を示している。この場合の静電容量型スイッチ２７の検出部（電極部に相当する）２７Ｋは、例えば、合成樹脂製の水タンク部２の側面部内に、または電源部３の合成樹脂製の筺体２３内に、板状の電極として筒状の電極２７Ｋが配置されている。このため、図１０のように、使用者が手で携帯用電解水噴霧器１の水タンク部２を握ったとき、検出部２７Ｋは静電容量が変化（増加）し、それによって発振回路２７Ｃの発振周波数が基本周波数からずれて減少し、スイッチ回路２７Ｓが通電状態となる（接点の場合は閉じる）。スイッチ回路２７Ｓが通電状態となることによって、制御回路部２５の昇圧回路２５Ａが動作し、電源用電池２４の電圧を昇圧回路２５Ａによって昇圧して電極６に所定電圧（実施例では、５．５ボルト〜５．６ボルト）を印加する。このため、電解部５において電解水が生成される。
【００６７】
このため、使用者が水タンク部２を握った状態でプッシュ部４Ｐを押し下げる（プッシュする）ことによって、電解水は電解水導出路７を通って、ノズル４Ａから噴出する。
【００６８】
上記の場合は、検出部２７Ｋの構成が一つの電極で構成される場合であるが、検出部２７Ｋの構成が二つの電極で構成される場合は、検出部２７Ｋを携帯用電解水噴霧器１の本体部１Ａと噴霧機構部４のプッシュ部４ＰとのＡＮＤ作用による構成とするものである。具体的には、一方の検出部２７Ｋ（電極）を図７同様に、噴霧機構部４のプッシュ部４Ｐに配置し、他方の検出部２７Ｋ（電極）を図９同様に、携帯用電解水噴霧器１の本体部１Ａ、例えば水タンク部２の側面部内等に板状の電極として筒状に配置する。この場合、図１０のように、使用者が手で携帯用電解水噴霧器１の水タンク部２を握り、且つ、プッシュ部４Ｐを押すために、上面頂部４Ｐ１に使用者が指を触れる（タッチする）ことによって、上記二つの電極で構成される検出部２７Ｋは静電容量が変化（増加）し、それによって発振回路２７Ｃの発振周波数が基本周波数からずれて減少し、スイッチ回路２７Ｓが通電状態となる（接点の場合は閉じる）。スイッチ回路２７Ｓが通電状態となることによって、制御回路部２５の昇圧回路２５Ａが動作し、電源用電池２４の電圧を昇圧回路２５Ａによって昇圧して電極６に所定電圧（実施例では、５．５ボルト〜５．６ボルト）を印加する。このため、電解部５において電解水が生成される。
【００６９】
このようにプッシュ部４Ｐの上面頂部４Ｐ１に使用者が指を触れ（タッチし）、引き続いてプッシュ部４Ｐを押し下げる（プッシュする）ことによって、電解水は電解水導出路７を通って、ノズル４Ａから噴出する。
【００７０】
なお、制御回路部２５にタイマ回路２５Ｂを設け、スイッチ回路２７Ｓが通電状態となる（接点の場合は閉じる）ことによって制御回路部２５のタイマ回路２５Ｂが動作して、タイマ回路２５Ｂの動作による所定時間（例えば１０秒）だけ、電源用電池２４の電圧を昇圧回路２５Ａによって昇圧して電極６に所定電圧（実施例では、５．５ボルト〜５．６ボルト）を印加するようにすることができる。これによって、電解水の生成時間を制限することができる。
【００７１】
上記のように、検出部２７Ｋの構成が一つの電極で構成される場合、または検出部２７Ｋの構成が二つの電極で構成される場合のいずれにおいても、このタイマ回路２５Ｂを設けた場合は、電解水の噴出を行わずにプッシュ部４Ｐの上面頂部４Ｐ１に使用者が指を触れ（タッチし）ている状態が長時間にわたる場合、または、使用者が手で携帯用電解水噴霧器１の水タンク部２を長時間にわたって握っている状態が長時間にわたる場合、無駄に電源用電池２４の電力が消費されることを防止できるものとなる。
【００７２】
即ち、タイマ回路２５Ｂの動作による所定時間（例えば１０秒）のみ、電極６へ通電されて電解部５において電解作用が行なわれるように、制御回路部２５にタイマ回路２５Ｂを設け、その時間経過後は電極６への通電が終わるようになり、電池２４の電力が電極６へ供給され続けることを防止することができる。そして、この所定時間（例えば１０秒）経過後は、再度スイッチ回路２７Ｓが通電状態（接点の場合は閉じる）とならなければ、電解部５において電解作用が行なわれない。
【００７３】
これによって、上記所定時間（実施例では１０秒）の間に、プッシュ部４Ｐを複数回プッシュすることによって、その都度電解水を噴霧することができる。この所定時間（実施例では１０秒）中はＬＥＤ２６が発光するので、電解部５において電解作用が行なわれていることが分かる。この所定時間（実施例では１０秒）経過にてＬＥＤ２６は消灯（非発光）するが、再度スイッチ回路２７Ｓが通電状態（接点の場合は閉じる）となるようにすれば、上記所定時間（実施例では１０秒）が開始すると共に、ＬＥＤ２６が発光するため、この時間内にプッシュ部４Ｐを複数回プッシュすることによって、その都度電解水を噴霧することができる。
【００７４】
図１１には、制御回路部２５に昇圧回路２５Ａとタイマ回路２５Ｂを設けた一つの実施回路を示している。図１１において、スイッチ回路２７Ｓは通電状態（接点の場合は閉じる）が短時間に終わる回路構成である。このスイッチ回路２７Ｓの通電状態（接点の場合は閉じる）は、タイマ回路２５Ｂの動作による所定時間（例えば１０秒）よりもかなり短い時間であり、例えば、１秒以内の０．５秒である。
【００７５】
タイマ回路２５Ｂは、コンデンサＣと抵抗Ｒの時定数素子と、これに接続されたトランジスタＴＲ１と、スイッチングトランジスタＴＲ２を備え、上記のようにスイッチ回路２７Ｓの通電状態（接点の場合は閉じる）が短時間（例えば０．５秒）となることによって、この短時間（例えば０．５秒）にて電源用電池２４の１．２Ｖ〜１．５ＶによってコンデンサＣが瞬時に所定電圧に充電され、トランジスタＴＲ１がＯＮ（導通）し、それによってスイッチングトランジスタＴＲ２がＯＮ（導通）する。トランジスタＴＲ２がＯＮ（導通）することによって、昇圧回路２５Ａへ電源用電池２４の１．５Ｖが印加され、昇圧回路２５Ａの動作によって、ラインＬ１とＬ２（アースライン）間に５．５ボルト〜５．６ボルトに昇圧された電圧が現れ、この昇圧された電圧がプラス電極６Ａとマイナス電極６Ｂ間に印加され、電解室５Ｓ内に除菌用オゾン水が生成される。また、ラインＬ１とＬ２（アースライン）間の５．５ボルト〜５．６ボルトによって、ＬＥＤ２６が点灯（発光）し、使用者は除菌用オゾン水の生成中であることを視認できる。
【００７６】
そして、コンデンサＣが所定電圧に充電された後、スイッチ回路２７Ｓの非通電状態（接点の場合は開く）にて、コンデンサＣの電圧は、抵抗Ｒを通してコンデンサＣと抵抗Ｒの時定数に従って徐々に放電され、それに伴ってトランジスタＴＲ１の入力レベルが低下し、遂にトランジスタＴＲ１がＯＦＦ（非導通）となる。トランジスタＴＲ１のＯＦＦ（非導通）によって、スイッチングトランジスタＴＲ２がＯＦＦ（非導通）し、昇圧回路２５Ａへの電源用電池２４の１．５Ｖの印加が停止し、プラス電極６Ａとマイナス電極６Ｂ間への電力供給が停止するため、電解室５Ｓ内での除菌用オゾン水の生成が停止すると共に、ＬＥＤ２６が消灯（非発光）となる。
【００７７】
再度除菌用オゾン水を生成するためには、上記のように、検出部２７Ｋの構成が一つの電極で構成される場合は、プッシュ部４Ｐの上面頂部４Ｐ１から使用者が指を離し再度触れる（タッチする）か、使用者が手で携帯用電解水噴霧器１の水タンク部２を握りなおすか、または、検出部２７Ｋの構成が二つの電極で構成される場合は、使用者が手で携帯用電解水噴霧器１の水タンク部２を握っている状態で、プッシュ部４Ｐの上面頂部４Ｐ１から使用者が指を離し再度触れる（タッチする）か、の動作を行って、再度スイッチ回路２７Ｓが通電状態（接点の場合は閉じる）となるようにすればよい。
【００７８】
図１１において、トランジスタＴＲ１がＯＮ（導通）しＯＦＦ（非導通）するまでの時間は、コンデンサＣと抵抗Ｒの時定数によって定められる。実施例では、このタイマ動作時間として定めた所定時間を１０秒としている。この時間は、使用者が除菌用オゾン水を目標箇所へ噴霧するために必要な好ましい時間であり、コンデンサＣと抵抗Ｒの値を選択することにより、これよりも短く、または長く設定することも可能である。
【００７９】
昇圧回路２５Ａは、図１１に示すように、コイルＬ１、コンデンサＣ１、ダイオードＤ１、Ｎｃｈ  Ｐｏｗｅｒ  ＣＭＯＳトランジスタＱ１、及びスイッチングレギュレータコントローラＳＲ（セイコーインスツル株式会社製Ｓ−８３５５Ｍ５５ＭＣ）、各抵抗Ｒ１〜Ｒ４、コンデンサＣ２、Ｃ３等で構成されており、スイッチングトランジスタＴＲ２を通して電源用電池２４の１．５Ｖが印加され、昇圧回路２５Ａの動作によって、ラインＬ１とＬ２（アースライン）間に５．５ボルト〜５．６ボルトに昇圧された電圧が現れる。
【００８０】
上記のように、昇圧回路２５Ａによって電解室５Ｓ内での除菌用オゾン水の生成に必要な電圧を電極６へ印加するため、電源用電池２４は１．２Ｖ〜１．５Ｖの単３または単4電池が使用でき、小型化となる。また、スイッチ２７をＯＮしたときから所定時間（実施例では１０秒）のみ電極６に通電することによって、除菌の必要時のみ電解水を生成するため、電池２４の寿命を数年に亘るように長く保つことができる。
【００８１】
上記のように、スイッチ２７の動作によってタイマ回路２５Ｂが動作し、タイマ回路２５Ｂの動作によって昇圧手段としての昇圧回路２５Ａが動作し、電極６へ昇圧した所定電力が供給される関係であるため、タイマ回路２５Ｂが所定時間経過したときは、昇圧回路２５Ａへの電力供給が断たれ、電力消費を抑制できる効果がある。
【００８２】
また、携帯用電解水噴霧器１をハンドバッグなどに入れて持ち歩くときに、水タンク部２の水が空気導入孔９から流出しないようにするため、及び、水タンク部２内の気泡抜きのために、空気導入孔９には、空気は通すが水は通さない選択膜５２を設けている。
【００８３】
携帯用電解水噴霧器１の小型化を達成するためには、水タンク部２の大きさを小さくすることが望まれるが、使用性を考慮すれば、水タンク部２の内容積としては、数十回の噴霧ができる水の量を確保する必要がある。
【００８４】
本発明の携帯用電解水噴霧器１は、ハンドバッグ等に入れて持ち歩く場合の便利さのために、外観筒状をなす。その一つの実施形態として、携帯用電解水噴霧器１は、外形寸法において、透明アクリルで成形した筒状水タンク部２と電源部３が直径２２ｍｍの円筒形であり、電源部３の長さが７８ｍｍ、タンク部２の長さが５３ｍｍ、携帯用電解水噴霧器１の全体の長さが１６３ｍｍである。
【００８５】
この場合の電極６は、図６に示すように、プラス電極６Ａとマイナス電極６Ｂが交互配置となるように、３枚の板状電極が対向配置され、中間の板状電極をプラス電極６Ａとし、その両側の板状電極をマイナス電極６Ｂとし、この３枚の電極の外周を合成樹脂製の熱収縮チューブで覆って筒状体５Ｐを形成する。電極６に印加される電圧は、１．２ボルト〜１．５ボルトの単３または単４電池２４を昇圧回路によって昇圧して５．５ボルト〜５．６ボルトとしている。実質的に電解水を生成するプラス電極６Ａとマイナス電極６Ｂの対向する面の面積をそれぞれ１．５平方センチメートルとし、プラス電極６Ａとマイナス電極６Ｂの間隔を０．１ｍｍ〜１ｍｍの範囲内での所定の間隔とすることにより、電解部５の小型化を図りつつ、所定の濃度のオゾン水と、１回の所定の噴霧量（実施例では、０．１ミリリットル）を確保している。
【００８６】
この場合、タンク部２内に満タンで貯留される水の量は、１回の噴霧量の数十倍の１０ミリリットルであり、満タン時に電解部５の電解室５Ｓに貯留される水の量は、１回の噴霧量よりも少ない０．０６ミリリットルである。このため、１回の噴霧操作によって、電解室５Ｓ内の電解水の量よりも若干多い量の水が、タンク部２内から流入口５Ｅを通して電解部５内へ押し込まれ、電解室５Ｓ内の電解水の全量が電解室５Ｓから噴霧機構部４へ押し出される。そのため、プラス電極６Ａとマイナス電極６Ｂとの間の電解水が完全に入れ替わると同時に、マイナス電極６Ｂの表面の気泡も一緒に上方の噴霧機構部４へ流れ、引き続いて行なわれる噴霧では、気泡を含まない正規の電解水をノズル４Ａから噴霧することができる。
【００８７】
なお、電池２４としては、出力が大きく、一回の満充電によって数ヶ月乃至数年に亘って使用可能な長寿命のものであれば構わない。
【００８８】
上記の場合は、電解部５でオゾンを発生してオゾン水である電解水を生成するものであるが、次亜塩素酸発生用の電極を用いれば、電極間に塩化物イオンを含む水を貯留させ、この水を電気分解して次亜塩素酸を発生させて、次亜塩素酸水である電解水を生成するものとすることもできる。次亜塩素酸水を生成する場合は、塩化物イオンを含む上水道水等、使用する水が制限されるため、水の補給場所の制限を受けるが、オゾン水を生成する場合は水の種類は問わないため、水がある場所であればどこでも補給できることとなり、使用上の便利さが向上したものとなる。また、アルコール等の消毒液を使用する場合は、補給用の消毒液を持ち歩く必要があるが、オゾン水を生成する場合はその必要がなく、水がある場所であればどこでも補給できるものとなる。
【００８９】
携帯用電解水噴霧器１は、長期間使用しているうちに、電極６の表面にカルシウム等のスケールが付着して、電気分解作用が阻害されるため、時々、噴霧機構部４をタンク部２から外し、タンク部２内をクエン酸によって洗浄することにより、電極６の表面に付着したカルシウム等のスケールを取り除くことができる。
【産業上の利用可能性】
【００９０】
本発明に係る携帯用電解水噴霧器は、上記実施例に示した構成に限定されず、種々の形態のものに適用できるものであり、本発明の技術範囲において種々の形態を包含するものである。
【符号の説明】
【００９１】
１・・・・・携帯用電解水噴霧器
１Ａ・・・・円筒形本体部
２・・・・・筒状水タンク部
２Ａ・・・・筒状水タンク部の上面開口
３・・・・・電源部
４・・・・・プッシュ式噴霧機構部
４Ａ・・・・ノズル
４Ｐ・・・・プッシュ部
５・・・・・筒状電解部
５Ａ・・・・筒状電解部の上面開口
５Ｅ・・・・流入口
５Ｐ・・・・筒状体
５Ｓ・・・・電解室
６・・・・・電極
６Ａ・・・・プラス電極またはマイナス電極
６Ｂ・・・・プラス電極またはマイナス電極
７・・・・・電解水導出路
７Ａ・・・・電解水導出路
７Ｂ・・・・電解水導出路
８・・・・・コイルバネ
９・・・・・空気導入孔
１０・・・・環状パッキン
１１・・・・ネジ結合部
１２・・・・環状パッキン
１３・・・・連通路部材
１６・・・・ポンプ室
１５・・・・空気の連通路（水補給開口）
１７Ａ・・・下部支持部
１７Ｂ・・・上部支持部
２１・・・・環状パッキン
２５・・・・制御回路部
２５Ａ・・・昇圧回路
２５Ｂ・・・タイマ回路
２６・・・・ＬＥＤ
２７・・・・スイッチ（静電容量型スイッチ）
２７Ｃ・・・発振回路
２７Ｄ・・・検出回路
２７Ｋ・・・検出部（電極）
２７Ｓ・・・スイッチ回路
５２・・・・選択膜
５８・・・・リード線
ＦＴ・・・・一次側接片
ＳＴ・・・・二次側接片
【図１】
2011110538.tif 000003
【図２】
2011110538.tif 000004
【図３】
2011110538.tif 000005
【図４】
2011110538.tif 000006
【図５】
2011110538.tif 000007
【図６】
2011110538.tif 000008
【図７】
2011110538.tif 000009
【図８】
2011110538.tif 000010
【図９】
2011110538.tif 000011
【図１０】
2011110538.tif 000012
【図１１】
2011110538.tif 000013